(57)【要約】【課題】壁紙切断用テープの終端が近づいて、巻き出し切れが発生することを事前に検知することが可能で、従来の自動壁紙糊付機のように、壁紙切断用テープが貼着されない状態で、糊付け工程が行われることのない壁紙切断用テープを用いた自動壁紙糊付機を提供する。【解決手段】巻き出し切れ検知手段２０６で、壁紙切断用テープ２００の終端Ｔ１を検出した後、壁紙切断用テープ２００を所定の長さ分送り出して、壁紙切断用テープ２００の終端Ｔ１が、新しい壁紙切断用テープ２００の巻き出し端Ｔ２と接合する接合位置Ｘで停止されるように構成されている。【選択図】図２
2019111757.tif 000002
【特許請求の範囲】
【請求項１】
壁紙糊付機本体で、壁紙の裏面に、糊を自動的に塗布するとともに、
自動壁紙糊付機において壁紙の糊付け面に貼着され、壁紙施工において壁紙を切断する際に用いられる壁紙切断用テープを用いて、前記壁紙の裏面の幅方向の端部に、壁紙切断用テープを貼着するように構成した自動壁紙糊付機であって、
前記壁紙切断用テープが、前記壁紙切断用テープを自動壁紙糊付機において用いるために、ロール形状に巻かれた形状であり、
前記自動壁紙糊付機には、前記壁紙切断用テープの巻き出し切れを事前に検知するための巻き出し切れ検知手段を備えるとともに、
前記巻き出し切れ検知手段で、前記壁紙切断用テープの終端を検出した際、または、前記壁紙切断用テープの終端を検出した後、前記壁紙切断用テープを所定の長さ分送り出して、
前記壁紙切断用テープの終端が、新しい壁紙切断用テープの巻き出し端と接合する接合位置で停止されるように構成されていることを特徴とする自動壁紙糊付機。
【請求項２】
前記接合位置が、前記自動壁紙糊付機の壁紙の幅方向に位置する幅方向フレーム部材の送り出し方向の所定の位置に位置することを特徴とする請求項１に記載の自動壁紙糊付機。
【請求項３】
前記幅方向フレーム部材が、前記自動壁紙糊付機の脚部フレームの幅方向脚部フレームであることを特徴とする請求項２に記載の自動壁紙糊付機。
【請求項４】
前記幅方向フレーム部材が、前記自動壁紙糊付機の壁紙糊付機本体の幅方向本体フレームであることを特徴とする請求項２に記載の自動壁紙糊付機。
【請求項５】
前記接合位置が、前記壁紙切断用テープの終端と、前記壁紙切断用テープを巻装した巻き出し芯との接合端に位置することを特徴とする請求項１に記載の自動壁紙糊付機。
【請求項６】
前記接合位置が、前記壁紙切断用テープの終端と、壁紙切断用テープを巻装した巻き出し芯との接合端から、壁紙切断用テープを所定の長さ分送り出した位置に位置することを特徴とする請求項１に記載の自動壁紙糊付機。
【請求項７】
前記巻き出し切れ検知手段が、前記壁紙切断用テープを巻装した巻き出し芯が露出した際に、前記壁紙切断用テープの終端を検出した後、
前記壁紙切断用テープを所定の長さ分送り出して、前記壁紙切断用テープの終端が、前記巻き出し芯上で、新しい壁紙切断用テープの巻き出し端と接合する接合位置で停止されるように構成されていることを特徴とする請求項１から６のいずれかに記載の自動壁紙糊付機。
【請求項８】
前記巻き出し切れ検知手段が、前記壁紙切断用テープを巻装した巻き出し芯が露出した際に、前記壁紙切断用テープの終端を検出した後、前記壁紙切断用テープを所定の長さ分送り出して、
前記壁紙切断用テープの終端が、巻き出し芯から外れて、前記壁紙切断用テープの終端が、新しい壁紙切断用テープの巻き出し端と接合する接合位置で停止されるように構成されていることを特徴とする請求項１から６のいずれかに記載の自動壁紙糊付機。
【請求項９】
前記巻き出し切れ検知手段が、前記巻き出し芯に巻装された壁紙切断用テープに対して、付勢する方向にテンションをかけるように配置されたブラケット部材に設けられていることを特徴とする請求項１から８のいずれかに記載の自動壁紙糊付機。
【請求項１０】
前記巻き出し切れ検知手段が、前記自動壁紙糊付機の壁紙の幅方向に位置する幅方向フレーム部材に設けられていることを特徴とする請求項１から８のいずれかに記載の自動壁紙糊付機。
【請求項１１】
前記壁紙切断用テープの終端を、新しい壁紙切断用テープの巻き出し端と接合するための接合部材を備えることを特徴とする請求項１から８のいずれかに記載の自動壁紙糊付機。
【請求項１２】
前記接合部材には、前記壁紙切断用テープの終端と、新しい壁紙切断用テープの巻き出し端とを案内する案内溝または案内挿通孔が形成されていることを特徴とする請求項１１に記載の自動壁紙糊付機。
【請求項１３】
前記接合部材が、
前記壁紙切断用テープの終端を挿通する第１の接合部材と、
前記新しい壁紙切断用テープの巻き出し端を挿通する第２の接合部材とを備え、
前記第１の接合部材と第２の接合部材とが離接可能に構成されていることを特徴とする請求項１１から１２のいずれかに記載の自動壁紙糊付機。
【請求項１４】
前記接合位置には、前記壁紙切断用テープの終端を、新しい壁紙切断用テープの巻き出し端と接合するための支持部材を備えることを特徴とする請求項１から１３のいずれかに記載の自動壁紙糊付機。
【発明の詳細な説明】
【技術分野】
【０００１】
本発明は、壁紙（クロス）の裏面に、例えば、天井、壁面に貼着するための糊を、所定の量で、所定の長さの壁紙に自動的に塗布するための自動壁紙糊付機に関する。
【０００２】
より詳細には、壁紙の裏面の幅方向の端部に、例えば、壁紙切断用下敷きテープ、カットテープから構成される壁紙切断用テープを貼着するように構成した自動壁紙糊付機において、これらの壁紙切断用テープの巻き出し切れを事前に検知することが可能で、新しい壁紙切断用テープと交換することが容易な壁紙切断用テープを用いた自動壁紙糊付機に関する。
【背景技術】
【０００３】
従来より、このような、壁紙の裏面に、糊を自動的に塗布するとともに、例えば、壁紙切断用下敷きテープ、カットテープから構成される壁紙切断用テープを貼着するように構成した自動壁紙糊付機が提案されている。
【０００４】
このような自動壁紙糊付機で糊付けが完了した壁紙は、図１７に示したような構造となっている。
【０００５】
すなわち、特許文献１（特開２００８−２７４５５０号公報）に開示されるように、図１７の壁紙１００の裏面側の平面図に示したように、壁紙１００には、壁紙１００の糊付け面である裏面１０２に、糊が塗布されている。
【０００６】
また、図１７と図１８は、壁紙１００を壁面１０８の右から左に向けて貼着する場合を示している。この場合には、壁紙１００の裏面１０２の幅方向の一方の端部１０２ａに、壁紙切断用下敷きテープ１０４が、長手方向に貼着されている。
【０００７】
なお、壁紙の施工作業者や施工箇所の状況によっては、壁紙１００を壁面１０８の左から右向けて貼着する場合もある。
【０００８】
さらに、壁紙１００の裏面１０２の幅方向の他方の端部１０２ｂに、カットテープ１０６が、長手方向に貼着されている。
【０００９】
なお、上記のように、壁紙１００を壁面１０８の右から左に向けて貼着する場合、壁紙１００の裏面１０２の幅方向の一方の端部１０２ｂに、カットテープ１０６が、他方の端部１０２ａに、壁紙切断用下敷きテープ１０４が、長手方向に貼着される。
【００１０】
そして、壁紙の重ね貼り施工の際には、図１８、図１９（Ａ）〜（Ｄ）の工程によって、壁紙１００の突合せ部（ジョイント部）の施工行われる。
【００１１】
すなわち、例えば、ボードなどからなる壁面１０８に、図１８、図１９（Ａ）に示したように、下側（一枚目）の壁紙１００の糊付け面である裏面１０２を貼着する。そして、壁紙１００の壁紙切断用下敷きテープ１０４側の端部に、上側（二枚目）の壁紙１００の糊付け面である裏面１０２を貼着する。
【００１２】
この際、図１８に示したように、上側（二枚目）の壁紙１００のカットテープ１０６が、下側（一枚目）の壁紙１００の壁紙切断用下敷きテープ１０４に重なるように配置する。
【００１３】
そして、図１８、図１９（Ｂ）の点線Ａで示したように、別途図示しない定規を用いて、カッター１１８で、上側（二枚目）の壁紙１００と、下側（一枚目）の壁紙１００を切断していく。
【００１４】
この際、図１８、図１９（Ｂ）に示したように、下側（一枚目）の壁紙１００の壁紙切断用下敷きテープ１０４が存在しているので、カッター１１８のカッター刃が、壁紙切断用下敷きテープ１０４を貫通させずに表面を切ることで、確実に壁紙１００を２枚と、カットテープ１０６を切りの残すことなく裁断することができる。
【００１５】
また、石膏ボードなどからなる壁面１０８が傷ついて、壁紙施工後の目開きが起こらないようになっている。
【００１６】
そして、このような切断作業が完了した後、図１８、図１９（Ｂ）の矢印に示したように、下側（一枚目）の壁紙１００の切断された切断片１１０と、上側（二枚目）の壁紙１００の切断された切断片１１２と、壁紙切断用下敷きテープ１０４と、カットテープ１０６を取り除いていく。
【００１７】
その後、図１９（Ｃ）の矢印に示したように、上側（二枚目）の壁紙１００と、下側（一枚目）の壁紙１００のカット部分を、合わせるように、壁紙１００の糊付け面である裏面１０２を、壁面１０８に貼着（接着）させる。
【００１８】
そして、図１９（Ｄ）の矢印に示したように、最後に、壁紙１００の突合せ部（ジョイント部）１１４を、ローラー１１６で圧着して、壁紙１００の突合せ部（ジョイント部）１１４の仕上げ施工が行われるようになっている。
【００１９】
これにより、壁紙１００の突合せ部（ジョイント部）１１４が、奇麗に仕上がるとともに、カッター１１８で切断する際に、例えば、ボードなどからなる壁面１０８を傷つけたり、壁紙１００が浮いたりすることなく、施工状態が良好となっている。
【先行技術文献】
【特許文献】
【００２０】
【特許文献１】特開２００８−２７４５５０号公報
【発明の概要】
【発明が解決しようとする課題】
【００２１】
ところで、従来の自動壁紙糊付機では、自動壁紙糊付機による糊付作業時に、壁紙切断用テープ（壁紙切断用下敷きテープ１０４とカットテープ１０６）が、壁紙１００の糊付け面である裏面１０２に貼着された状態で、壁紙１００の表面側が、作業者側に位置する状態で排出されるので、作業者からは、壁紙切断用テープを、視認することができないようになっている。
【００２２】
このため、巻き出し芯にロール形状に巻かれた状態の壁紙切断用テープ（壁紙切断用下敷きテープ１０４とカットテープ１０６）の終端が近づいて、巻き出し切れが発生することが分からず、また、終端が近づいても、巻き出し切れが発生することに気づかないことがある。
【００２３】
例えば、ロール形状に巻かれた状態の壁紙切断用テープが、巻き芯からはがれた際に発生する異音や、糊付機から排出された壁紙１００を手繰り寄せながら、壁紙１００を折り畳む時の手に感じる感触によって、初めて壁紙切断用テープがなくなったことに気が付くことが多々あった。
【００２４】
従って、従来の自動壁紙糊付機では、このように、壁紙切断用テープの巻き出し切れが発生した状態では、自動壁紙糊付機でセットした長さ分の壁紙１００を、壁紙切断用テープ（壁紙切断用下敷きテープ１０４またはカットテープ１０６）が貼着されない状態で、糊付け工程が行われることになる。
【００２５】
このため、糊付け工程が終了して、セットした長さ分に裁断（カット）することによって、自動壁紙糊付機の下方に折り畳まれた状態の壁紙１００について、壁紙切断用テープが貼着されない分の壁紙１００を、床面などに真っ直ぐに広げて、手作業で、壁紙切断用テープ（壁紙切断用下敷きテープ１０４またはカットテープ１０６）を貼り付ける手間と時間がかかり、煩雑な作業が必要となってしまうことになる。
【００２６】
特に、例えば、６畳、８畳の天井に貼る壁紙１００の長さの平均は、３，６４０ｍｍ程度の長さが一般的であり、壁紙切断用テープが貼着されない部分が長い場合には、このような手作業で、壁紙切断用テープ（壁紙切断用下敷きテープ１０４またはカットテープ１０６）を貼り付けるには、手間と時間がかかり、煩雑な作業が必要となってしまう。
【００２７】
このような手作業による壁紙切断用テープの貼り付け作業が必要であるので、手に糊が付着することになり、手を洗浄して拭き取る作業も必要になり、作業効率が低下する一因ともなっている。
【００２８】
また、巻き出し切れが発生した壁紙切断用テープを、新しい巻き出し芯にロール形状に巻かれた状態の壁紙切断用テープ（壁紙切断用下敷きテープ１０４またはカットテープ１０６）と交換する作業も必要になり、作業効率が低下する一因ともなっている。
【００２９】
本発明は、このような現状に鑑み、巻き出し芯にロール形状に巻かれた状態の壁紙切断用テープの終端が近づいて、巻き出し切れが発生することを事前に検知することが可能で、しかも、従来の自動壁紙糊付機のように、壁紙切断用テープが貼着されない状態で、糊付け工程が行われることのない壁紙切断用テープを用いた自動壁紙糊付機を提供することを目的とする。
【００３０】
また、本発明は、壁紙切断用テープの巻き出し切れを事前に検知することが可能で、しかも、従来の自動壁紙糊付機のように、壁紙切断用テープが貼着されない分の壁紙を、床面などに真っ直ぐに広げて、手作業で、壁紙切断用テープを貼り付ける煩雑な作業が不要で、作業効率が良好で、新しい壁紙切断用テープと交換することが容易な壁紙切断用テープを用いた自動壁紙糊付機を提供することを目的とする。
【課題を解決するための手段】
【００３１】
本発明は、前述したような従来技術における課題及び目的を達成するために発明されたものであって、本発明の自動壁紙糊付機は、
壁紙糊付機本体で、壁紙の裏面に、糊を自動的に塗布するとともに、
自動壁紙糊付機において壁紙の糊付け面に貼着され、壁紙施工において壁紙を切断する際に用いられる壁紙切断用テープを用いて、前記壁紙の裏面の幅方向の端部に、壁紙切断用テープを貼着するように構成した自動壁紙糊付機であって、
前記壁紙切断用テープが、前記壁紙切断用テープを自動壁紙糊付機において用いるために、ロール形状に巻かれた形状であり、
前記自動壁紙糊付機には、前記壁紙切断用テープの巻き出し切れを事前に検知するための巻き出し切れ検知手段を備えるとともに、
前記巻き出し切れ検知手段で、前記壁紙切断用テープの終端を検出した際、または、前記壁紙切断用テープの終端を検出した後、前記壁紙切断用テープを所定の長さ分送り出して、
前記壁紙切断用テープの終端が、新しい壁紙切断用テープの巻き出し端と接合する接合位置で停止されるように構成されていることを特徴とする。
【００３２】
このように構成することによって、自動壁紙糊付機には、前記壁紙切断用テープの巻き出し切れを事前に検知するための巻き出し切れ検知手段を備えている。
【００３３】
また、巻き出し切れ検知手段で、壁紙切断用テープの終端を検出した際、または、壁紙切断用テープの終端を検出した後、壁紙切断用テープを所定の長さ分送り出して、停止制御装置によって、壁紙切断用テープの終端が、新しい壁紙切断用テープの巻き出し端と接合する接合位置で停止されるように制御されるようになっている。
【００３４】
従って、この巻き出し切れ検知手段を、例えば、自動壁紙糊付機に設けた検知センサーなどから構成して、壁紙切断用テープの終端を、巻き出し切れ検知手段が検知することによって、巻き出し芯にロール形状に巻かれた状態の壁紙切断用テープの終端が近づいて、巻き出し切れが発生することを事前に検知することができる。
【００３５】
これにより、従来の自動壁紙糊付機のように、壁紙切断用テープが貼着されない状態で、糊付け工程が行われることがない。
【００３６】
従って、従来の自動壁紙糊付機のように、壁紙切断用テープが貼着されない分の壁紙を、床面などに真っ直ぐに広げて、手作業で、壁紙切断用テープを貼り付ける煩雑な作業が不要で、作業効率が良好で、新しい壁紙切断用テープと交換することが容易である。
【００３７】
また、巻き出し切れ検知手段を、例えば、自動壁紙糊付機に設けた検知センサーなどから構成して、巻き出し切れ検知手段が、壁紙切断用テープの終端を検知した際に、作業者に対して、識別しやすい、例えば、音声、光などの警告表示で予告することもできる。
【００３８】
さらに、壁紙切断用テープの終端が、新しい壁紙切断用テープの巻き出し端と接合する接合位置で停止されるので、この状態で、古い壁紙切断用テープの終端と、新しい壁紙切断用テープの巻き出し端とを、例えば、粘着剤やテープなどで繋ぐことによって、作業効率が良好で、新しい壁紙切断用テープと交換することが容易であり、しかも、そのまま自動壁紙糊付機による糊付け工程を続けることができる。
【００３９】
また、本発明の自動壁紙糊付機は、前記接合位置が、前記自動壁紙糊付機の壁紙の幅方向に位置する幅方向フレーム部材の送り出し方向の所定の位置に位置することを特徴とする。
【００４０】
このように構成することによって、接合位置が、自動壁紙糊付機の壁紙の幅方向に位置する幅方向フレーム部材の送り出し方向の所定の位置に位置している。
【００４１】
従って、幅方向フレーム部材の接合位置において、古い壁紙切断用テープの終端と、新しい壁紙切断用テープの巻き出し端とを、この幅方向フレーム部材を基準として、また、これを支持部材として使用して、例えば、粘着剤やテープなどで繋ぐことによって、作業効率が良好で、新しい壁紙切断用テープと交換することが容易となる。
【００４２】
また、本発明の自動壁紙糊付機は、前記幅方向フレーム部材が、前記自動壁紙糊付機の脚部フレームの幅方向脚部フレームであることを特徴とする。
【００４３】
このように、幅方向フレーム部材が、自動壁紙糊付機の脚部フレームの幅方向脚部フレームであっても良い。
【００４４】
これにより、壁紙糊付機本体の幅方向本体フレームの接合位置において、古い壁紙切断用テープの終端と、新しい壁紙切断用テープの巻き出し端とを、自動壁紙糊付機の脚部フレームの幅方向脚部フレームを基準として、また、これを支持部材として使用して、例えば、粘着剤やテープなどで繋ぐことによって、作業効率が良好で、新しい壁紙切断用テープと交換することが容易となる。
【００４５】
また、本発明の自動壁紙糊付機は、前記幅方向フレーム部材が、前記自動壁紙糊付機の壁紙糊付機本体の幅方向本体フレームであることを特徴とする。
【００４６】
このように、幅方向フレーム部材が、自動壁紙糊付機の壁紙糊付機本体の幅方向本体フレームであっても良い。
【００４７】
これにより、壁紙糊付機本体の幅方向本体フレームの接合位置において、古い壁紙切断用テープの終端と、新しい壁紙切断用テープの巻き出し端とを、壁紙糊付機本体の幅方向本体フレームを基準として、また、これを支持部材として使用して、例えば、粘着剤やテープなどで繋ぐことによって、作業効率が良好で、新しい壁紙切断用テープと交換することが容易となる。
【００４８】
なお、この場合、本明細書において、「壁紙糊付機本体の幅方向本体フレーム」とは、壁紙糊付機本体の幅方向に設置されたステーでも良く、また糊箱の面でも良い。
【００４９】
また、本発明の自動壁紙糊付機は、前記接合位置が、前記壁紙切断用テープの終端と、前記壁紙切断用テープを巻装した巻き出し芯との接合端に位置することを特徴とする。
【００５０】
このように、接合位置が、壁紙切断用テープの終端と、壁紙切断用テープを巻装した巻き出し芯との接合端に位置していても良い。
【００５１】
これにより、壁紙切断用テープの終端と、壁紙切断用テープを巻装した巻き出し芯との接合端を基準として、また、巻き出し芯との接合端から、古い壁紙切断用テープの終端を剥がして、巻き出し芯を支持部材として使用して、例えば、粘着剤やテープなどで繋ぐことによって、作業効率が良好で、新しい壁紙切断用テープと交換することが容易となる。
【００５２】
また、本発明の自動壁紙糊付機は、前記接合位置が、前記壁紙切断用テープの終端と、壁紙切断用テープを巻装した巻き出し芯との接合端から、壁紙切断用テープを所定の長さ分送り出した位置に位置することを特徴とする。
【００５３】
このように、接合位置が、前記壁紙切断用テープの終端と、壁紙切断用テープを巻装した巻き出し芯との接合端から、壁紙切断用テープを所定の長さ分送り出した位置に位置していても良い。
【００５４】
これにより、壁紙切断用テープの終端と、壁紙切断用テープを巻装した巻き出し芯との接合端から、壁紙切断用テープを所定の長さ分送り出した位置を基準として、古い壁紙切断用テープの終端を剥がして、巻き出し芯を支持部材として使用して、例えば、粘着剤やテープなどで繋ぐことによって、作業効率が良好で、新しい壁紙切断用テープと交換することが容易となる。
【００５５】
また、本発明の自動壁紙糊付機は、
前記巻き出し切れ検知手段が、前記壁紙切断用テープを巻装した巻き出し芯が露出した際に、前記壁紙切断用テープの終端を検出した後、
前記壁紙切断用テープを所定の長さ分送り出して、前記壁紙切断用テープの終端が、前記巻き出し芯上で、新しい壁紙切断用テープの巻き出し端と接合する接合位置で停止されるように構成されていることを特徴とする。
【００５６】
このように構成することによって、巻き出し切れ検知手段が、壁紙切断用テープを巻装した巻き出し芯が露出した際に、壁紙切断用テープの終端を検出した後、壁紙切断用テープを所定の長さ分送り出している。
【００５７】
そして、壁紙切断用テープの終端が、巻き出し芯上で、新しい壁紙切断用テープの巻き出し端と接合する接合位置で停止されるようになっている。
【００５８】
これにより、壁紙切断用テープを所定の長さ分送り出して、壁紙切断用テープの終端が、巻き出し芯上で、新しい壁紙切断用テープの巻き出し端と接合する接合位置を基準として、古い壁紙切断用テープの終端を剥がして、巻き出し芯を支持部材として使用して、例えば、粘着剤やテープなどで繋ぐことによって、作業効率が良好で、新しい壁紙切断用テープと交換することが容易となる。
【００５９】
また、本発明の自動壁紙糊付機は、
前記巻き出し切れ検知手段が、前記壁紙切断用テープを巻装した巻き出し芯が露出した際に、前記壁紙切断用テープの終端を検出した後、前記壁紙切断用テープを所定の長さ分送り出して、
前記壁紙切断用テープの終端が、巻き出し芯から外れて、前記壁紙切断用テープの終端が、新しい壁紙切断用テープの巻き出し端と接合する接合位置で停止されるように構成されていることを特徴とする。
【００６０】
このように構成することによって、巻き出し切れ検知手段が、壁紙切断用テープを巻装した巻き出し芯が露出した際に、壁紙切断用テープの終端を検出した後、壁紙切断用テープを所定の長さ分送り出している。
【００６１】
そして、壁紙切断用テープの終端が、巻き出し芯から外れて、壁紙切断用テープの終端が、新しい壁紙切断用テープの巻き出し端と接合する接合位置で停止されるようになっている。
【００６２】
これにより、壁紙切断用テープの終端が、巻き出し芯から外れて、壁紙切断用テープの終端が、新しい壁紙切断用テープの巻き出し端と接合する接合位置を基準として、例えば、粘着剤やテープなどで繋ぐことによって、作業効率が良好で、新しい壁紙切断用テープと交換することが容易となる。
【００６３】
また、本発明の自動壁紙糊付機は、前記巻き出し切れ検知手段が、前記巻き出し芯に巻装された壁紙切断用テープに対して、付勢する方向にテンションをかけるように配置されたブラケット部材に設けられていることを特徴とする。
【００６４】
このように構成することによって、ブラケット部材によって、巻き出し芯に巻装された壁紙切断用テープに対して、付勢する方向にテンションをかけることができ、壁紙切断用テープの弛みによる折曲がりなどを防止することができる。
【００６５】
また、このようにブラケット部材によって、巻き出し芯に巻装された壁紙切断用テープに対して、付勢する方向にテンションをかけながら、巻き出し切れ検知手段によって、壁紙切断用テープの終端を、巻き出し切れ検知手段が検知することによって、巻き出し芯にロール形状に巻かれた状態の壁紙切断用テープの終端が近づいて、巻き出し切れが発生することを事前に検知することができる。
【００６６】
また、本発明の自動壁紙糊付機は、前記巻き出し切れ検知手段が、前記自動壁紙糊付機の壁紙の幅方向に位置する幅方向フレーム部材に設けられていることを特徴とする。
【００６７】
このように、巻き出し切れ検知手段が、前記自動壁紙糊付機の壁紙の幅方向に位置する幅方向フレーム部材に設けられているので、巻き出し切れ検知手段が突設したり、場所をとったりせず、脚部フレームの折り畳みに支障をきたすことがなく、しかも、コンパクトな自動壁紙糊付機を提供することができる。
【００６８】
また、本発明の自動壁紙糊付機は、前記壁紙切断用テープの終端を、新しい壁紙切断用テープの巻き出し端と接合するための接合部材を備えることを特徴とする。
【００６９】
このように構成することによって、接合部材を使用して、例えば、粘着剤やテープなどで繋ぐことによって、古い壁紙切断用テープの終端を、新しい壁紙切断用テープの巻き出し端と接合することができ、作業効率が良好で、新しい壁紙切断用テープと交換することが容易となる。
【００７０】
また、本発明の自動壁紙糊付機は、前記接合部材には、前記壁紙切断用テープの終端と、新しい壁紙切断用テープの巻き出し端とを案内する案内溝または案内挿通孔が形成されていることを特徴とする。
【００７１】
このように構成することによって、接合部材に形成された案内溝または案内挿通孔によって、古い壁紙切断用テープの終端と、新しい壁紙切断用テープの巻き出し端とを案内することができる。
【００７２】
これにより、例えば、粘着剤やテープなどで繋ぐことによって、古い壁紙切断用テープの終端を、新しい壁紙切断用テープの巻き出し端と正確に接合することができ、作業効率が良好で、新しい壁紙切断用テープと交換することがさらに容易となる。
【００７３】
また、本発明の自動壁紙糊付機は、
前記接合部材が、
前記壁紙切断用テープの終端を挿通する第１の接合部材と、
前記新しい壁紙切断用テープの巻き出し端を挿通する第２の接合部材とを備え、
前記第１の接合部材と第２の接合部材とが離接可能に構成されていることを特徴とする。
【００７４】
このように構成することによって、第１の接合部材に挿通した壁紙切断用テープの終端と、第２の接合部材に挿通した新しい壁紙切断用テープの巻き出し端を、第１の接合部材と第２の接合部材とを離反することによって、例えば、粘着剤やテープなどで繋ぐことによって、古い壁紙切断用テープの終端を、新しい壁紙切断用テープの巻き出し端と正確に接合することができる。
【００７５】
そして、第１の接合部材に挿通した壁紙切断用テープの終端と、第２の接合部材に挿通した新しい壁紙切断用テープの巻き出し端を、第１の接合部材と第２の接合部材とを当接することによって、古い壁紙切断用テープの終端を、新しい壁紙切断用テープの巻き出し端と正確に接合することができ、作業効率が良好で、新しい壁紙切断用テープと交換することがさらに容易となる。
【００７６】
また、本発明の自動壁紙糊付機は、前記接合位置には、前記壁紙切断用テープの終端を、新しい壁紙切断用テープの巻き出し端と接合するための支持部材を備えることを特徴とする。
【００７７】
このように構成することによって、支持部材を支持台として使用して、例えば、粘着剤やテープなどで繋ぐことによって、作業効率が良好で、新しい壁紙切断用テープと交換することが容易となる。
【発明の効果】
【００７８】
本発明によれば、自動壁紙糊付機には、前記壁紙切断用テープの巻き出し切れを事前に検知するための巻き出し切れ検知手段を備えている。
【００７９】
また、巻き出し切れ検知手段で、壁紙切断用テープの終端を検出した後、壁紙切断用テープを所定の長さ分送り出して、停止制御装置によって、壁紙切断用テープの終端が、新しい壁紙切断用テープの巻き出し端と接合する接合位置で停止されるように制御されるようになっている。
【００８０】
従って、この巻き出し切れ検知手段を、例えば、自動壁紙糊付機に設けた検知センサーなどから構成して、壁紙切断用テープの終端を、巻き出し切れ検知手段が検知することによって、巻き出し芯にロール形状に巻かれた状態の壁紙切断用テープの終端が近づいて、巻き出し切れが発生することを事前に検知することができる。
【００８１】
これにより、従来の自動壁紙糊付機のように、壁紙切断用テープが貼着されない状態で、糊付け工程が行われることがない。
【００８２】
従って、従来の自動壁紙糊付機のように、壁紙切断用テープが貼着されない分の壁紙を、床面などに真っ直ぐに広げて、手作業で、壁紙切断用テープを貼り付ける煩雑な作業が不要で、作業効率が良好で、新しい壁紙切断用テープと交換することが容易である。
【００８３】
また、巻き出し切れ検知手段を、例えば、自動壁紙糊付機に設けた検知センサーなどから構成して、巻き出し切れ検知手段が、壁紙切断用テープの終端を検知した際に、作業者に対して、識別しやすい、例えば、音声、光などの警告表示で予告することもできる。
【００８４】
さらに、壁紙切断用テープの終端が、新しい壁紙切断用テープの巻き出し端と接合する接合位置で停止されるので、この状態で、古い壁紙切断用テープの終端と、新しい壁紙切断用テープの巻き出し端とを、例えば、粘着剤やテープなどで繋ぐことによって、作業効率が良好で、新しい壁紙切断用テープと交換することが容易であり、しかも、そのまま自動壁紙糊付機による糊付け工程を続けることができる。
【図面の簡単な説明】
【００８５】
【図１】図１は、本発明の自動壁紙糊付機の斜視図である。
【図２】図２は、図１の自動壁紙糊付機のＡ−Ａ方向の概略断面図である。
【図３】図３は、本発明の自動壁紙糊付機の概略を示す部分拡大断面図である。
【図４】図４は、図１のＤ部分の拡大正面図である。
【図５】図５は、古い壁紙切断用テープ２００の終端Ｔ１と、新しい壁紙切断用テープ２００の巻き出し端Ｔ２とを接合する状態を説明する概略図である。
【図６】図６は、壁紙切断用下敷きテープを示す壁紙の裏面側の平面図である。
【図７】図７は、本発明の別の実施例の自動壁紙糊付機を示す図１と同様な斜視図である。
【図８】図８は、図７のＤ部分の拡大正面図である。
【図９】図９は、古い壁紙切断用テープ２００の終端Ｔ１と、新しい壁紙切断用テープ２００の巻き出し端Ｔ２とを接合する状態を説明する概略図である。
【図１０】図１０は、本発明の別の実施例の自動壁紙糊付機を示す部分拡大斜視図である。
【図１１】図１１は、図１０の自動壁紙糊付機の作動を説明する概略図である。
【図１２】図１２は、本発明の別の実施例の自動壁紙糊付機を示す部分拡大斜視図である。
【図１３】図１３は、本発明の別の実施例の自動壁紙糊付機を示す部分拡大斜視図である。
【図１４】図１４は、古い壁紙切断用テープ２００の終端Ｔ１と、新しい壁紙切断用テープ２００の巻き出し端Ｔ２とを接合する状態を説明する概略図である。
【図１５】図１５は、本発明の別の実施例の自動壁紙糊付機を示す、古い壁紙切断用テープ２００の終端Ｔ１と、新しい壁紙切断用テープ２００の巻き出し端Ｔ２とを接合する状態を説明する概略図である。
【図１６】図１６は、図１０の自動壁紙糊付機の別の作動を説明する概略図である。
【図１７】図１７は、壁紙１００の裏面側の平面図である。
【図１８】図１８は、壁紙１００の施工方法を説明する概略上面図である。
【図１９】図１９は、壁紙１００の施工方法を説明する概略図である。
【発明を実施するための形態】
【００８６】
以下、本発明の実施の形態（実施例）を図面に基づいてより詳細に説明する。
（実施例１）
【００８７】
図１は、本発明の自動壁紙糊付機の斜視図、図２は、図１の自動壁紙糊付機のＡ−Ａ方向の概略断面図、図３は、本発明の自動壁紙糊付機の概略を示す部分拡大断面図、図４は、図１のＤ部分の拡大正面図、図５は、古い壁紙切断用テープ２００の終端Ｔ１と、新しい壁紙切断用テープ２００の巻き出し端Ｔ２とを接合する状態を説明する概略図、図６は、壁紙切断用下敷きテープを示す壁紙の裏面側の平面図である。
【００８８】
図１〜図２において、符号１０は、全体で本発明の自動壁紙糊付機を示している。
【００８９】
図１〜図２に示したように、自動壁紙糊付機１０は、壁紙糊付機本体１２を備えている。また、壁紙糊付機本体１２は、上部が開放した状態の略箱体形状の本体フレーム１４を備えている。さらに、本体フレーム１４の左右の側部の両端には、下方に固定された一対の脚部フレーム１６を備えている。
【００９０】
この本体フレーム１４は、図２に示したように、上部フレーム１８と、下部フレーム２０とから構成されている。そして、上部フレーム１８の上部には、左右方向に離間して配置された一対の把手１８ｃを備えている。
【００９１】
なお、この把手１８ｃは、側板部１８ａ、１８ｂの間に架け渡すように設けられたステー部材１９に備えられている。
【００９２】
この把手１８ｃを把持して操作することによって、後述するように、壁紙１００を壁紙糊付機本体１２に配置したり、メンテナンスのために、下部フレーム２０に対して、図示しないピボット軸を回動中心として、図１〜図２の矢印Ｂで示したように、開閉可能なように構成されている。
【００９３】
なお、図２に示したように、上部フレーム１８と、下部フレーム２０には、上部フレーム１８を下部フレーム２０に対して閉じた状態で固定するために、例えば、いわゆる「パチン錠」などの係止具２２が設けられている。
【００９４】
また、上部フレーム１８は、左右の側部を構成する、側板部１８ａ、１８ｂを備えている。
【００９５】
一方、図１に示したように、脚部フレーム１６の下端には、係止可能なローラー２４が設けられており、これにより、自動壁紙糊付機１０を所望の位置に移動、配置することが可能になっている。
【００９６】
さらに、図１に示したように、下部フレーム２０は、左右の側部を構成する、側板部２０ａ、２０ｂを備えている。この下部フレーム２０の一方の側板部２０ａには、駆動部２６が設けられ、駆動部２６に、駆動モーターを内蔵するとともに、自動壁紙糊付機１０を制御するための制御装置が内蔵されている。
【００９７】
また、側板部２０ａに設けられた図示しない歯車連結機構に、駆動が伝動される構成となっている。
【００９８】
また、この駆動部２６の下流側、すなわち、図１において手前側には、測定された壁紙の長さ（測長結果）を表示したり、駆動モーターを駆動制御したり、壁紙１００の種類などの情報を入力するための表示・操作パネル部２８が設けられている。なお、この駆動部２６は、下部フレーム２０の一方の側板部２０ａに脱着自在に構成されているか、または、固着されている。
【００９９】
また、図１に示したように、一対の脚部フレーム１６の間には、図１の点線で示したように、傾斜した略板形状の壁紙受け部３０が設けられている。この壁紙受け部３０は、自動壁紙糊付機１０の下部フレーム２０の下流側、図１において手前側の壁紙排出部２９から排出された糊付けされた壁紙１００を受けるためのものである。
【０１００】
さらに、図１〜図２に示したように、一対の脚部フレーム１６には、壁紙１００が巻かれた壁紙原反ロール３２を回転可能に、かつ、脱着自在に装着するための原反装着架台３４が設けられている。
【０１０１】
そして、図２に示したように、壁紙原反ロール３２から送り出された壁紙１００は、下部フレーム２０の上流側に、すなわち、図２において左側に、スリット部３５に送り出されるようになっている。
【０１０２】
壁紙１００は、このスリット部３５のテンションバー３６を経て、ガイド板３８で案内された後、裁断部４０で、壁紙の不要な耳部が切断されるように構成されている。すなわち、裁断部４０は、一対の回転する上刃４２と下刃４４から構成されており、これらの上刃４２と下刃４４の間を通過することによって、壁紙１００の両端の耳部が切断され、壁紙が一定幅となるようになっている。
【０１０３】
また、上刃４２と下刃４４の位置を調整して、壁紙１００の裁断幅を所望の寸法に調整できるようになっている。
【０１０４】
このスリット部３５を通過した壁紙１００は、下部フレーム２０の左右の側板部２０ａ、２０ｂの間で固定された下部ステー４６に、壁紙１００の裏面１０２が接触するように案内されて、送り出しローラー４８と、検尺ローラー５０との間に挟持されるように搬送される。
【０１０５】
なお、送り出しローラー４８の回転によって壁紙を搬送する際に、壁紙１００の滑りを少なくするために、壁紙１００の一定の長さ分を、送り出しローラー４８に巻き付けている。
【０１０６】
また、送り出しローラー４８は、下部フレーム２０の左右の側板部２０ａ、２０ｂに設けた軸受部材（図示せず）に、回転可能に装着されているとともに、図示しない、複数の歯車機構を介して、駆動部２６の駆動モーターの駆動が伝達されるように構成されている。
【０１０７】
また、図２に示したように、検尺ローラー５０の回転軸５２が、検尺ローラーアーム５４の先端側に回転可能に装着されている。そして、検尺ローラーアーム５４の基端側のアーム支点５６が、自動壁紙糊付機１０の上部フレーム１８の左右の側板部１８ａ、１８ｂに回動可能に装着されている。
【０１０８】
これにより、図２の矢印Ｃで示したように、検尺ローラーアーム５４が、アーム支点５６を回動中心として回動可能に構成されている。
【０１０９】
そして、壁紙１００の裏面１０２が、送り出しローラー４８に当接するとともに、検尺ローラー５０が、壁紙１００の表面１０１に当接して、送り出しローラー４８により搬送される壁紙１００に従動して回転するように構成されている。
【０１１０】
また、図２に示したように、検尺ローラーアーム５４には、検尺ローラー５０と送り出しローラー４８との圧接力を微調整するために、自動壁紙糊付機１０の上部フレーム１８に装着された調整装置５８が連結されている。
【０１１１】
すなわち、この調整装置５８には、バネ６０が介装されており、このバネ６０をバネ調整ネジ６２で調整することによって、検尺ローラー５０が送り出しローラー４８ーに圧接する圧接力を微調整することができるようになっている。なお、この調整装置５８は、検尺ローラー５０の回転軸５２の軸方向の両端側に２つ設けられており、これにより、壁紙１００が蛇行しないように調整されるようになっている。
【０１１２】
また、図２に示したように、検尺ローラー５０の回転軸５２の端部には、複数の外周方向に突設するスリット板６４が設けられている。また、検尺ローラーアーム５４には、このスリット板６４と対峙するように、フォトマイクロセンサー６６が設けられている。
【０１１３】
このフォトマイクロセンサー６６からの赤外線を、検尺ローラー５０の回転軸５２が回転することにより、スリット板６４の凹凸が、投光または遮光して、検尺パルスが発生する。これによって、検尺ローラー５０の回転に応じて、搬送される壁紙１００の長さを測定することができるようになっている。
【０１１４】
すなわち、例えば、検尺パルスの１周期（山＋谷）が壁紙１００の長さ１．０ｃｍで、山１個、または、谷１個が、０．５ｃｍとしている。
【０１１５】
そして、糊付け作業者によって、糊を付けて排出する壁紙の長さが、３００ｃｍに設定された場合、自動壁紙糊付機１０の駆動部２６の制御部２５は、後述する複数のローラーを回転させた瞬間から、検尺パルスを計数し、検尺パルスを３００周期分計数すると、複数のローラーの回転を停止するようになっている。これにより、長さ３００ｃｍの壁紙１００が排出されるように構成されている。
【０１１６】
このように、送り出しローラー４８と、検尺ローラー５０との間に挟持されるように搬送された壁紙１００は、図２に示したように、壁紙１００の裏面１０２に対して、糊を塗布する糊付装置６８に搬送される。
【０１１７】
この糊付装置６８では、壁紙１００の表面１０１が、ハイテンションローラー７０に当接するように壁紙１００が通過するとともに、壁紙１００の裏面１０２が、糊付ローラー７２と接触するように構成されている。
【０１１８】
また、図２に示したように、糊付ローラー７２と僅かな間隙離間して対峙するように、糊付ローラー７２の下方側に、糊上ローラー７４が設けられており、図示しない糊収容タンク（糊箱）に収容した糊を糊上ローラー７４から、糊付ローラー７２に転写するように構成されている。
【０１１９】
また、糊付ローラー７２の上流側には、糊付ローラー７２と当接するように、ドクターローラー７６が設けられている。このドクターローラー７６と糊付ローラー７２との間の距離を調整することによって、糊上ローラー７４から、糊付ローラー７２に転写する糊の厚さ（量）が、所定の厚さになるように調整するように構成されている。
【０１２０】
さらに、糊付ローラー７２の下流側には、押えローラー７８が設けられており、押えローラー７８が、壁紙１００の表面１０１と当接するように構成されている。
【０１２１】
また、押えローラー７８の下流側には、壁紙１００の裏面１０２と当接するナラシーローラー８０が設けられている。
【０１２２】
なお、ハイテンションローラー７０と押えローラー７８は、それぞれ上部フレーム１８の左右の側板部１８ａ、１８ｂにおいて、図示しない軸受部材によって、回動可能に装着されている。一方、糊付ローラー７２、ドクターローラー７６、および、ナラシーローラー８０は、それぞれ下部フレーム２０の左右の側板部２０ａ、２０ｂの側に回動可能に装着されている。
【０１２３】
糊上ローラー７４は、図示しない糊収容タンク（糊箱）に回動可能に装着されている。また、糊収容タンク（糊箱）は、壁紙糊付機本体１２に脱着可能に設けられている。
【０１２４】
従って、図１〜図２の矢印Ｂで示したように、上部フレーム１８の把手１８ｃを把持して操作することによって、下部フレーム２０に対して、ピボット軸を回動中心として開く。これによって、上部フレーム１８に装着されたハイテンションローラー７０と押えローラー７８が、上部フレーム１８とともに上方に移動する。
【０１２５】
これにより、壁紙１００を壁紙糊付機本体１２（糊付ローラー７２、ナラシーローラー８０など）に配置したり、メンテナンスすることができるようになっている。
【０１２６】
このように構成される糊付装置６８では、送り出しローラー４８と、検尺ローラー５０との間に挟持されるように搬送された壁紙１００は、ハイテンションローラー７０と押えローラー７８によって、糊付ローラー７２に対して、所定のテンションで接触するように構成されている。
【０１２７】
そして、図示しない糊収容タンク（糊箱）に収容した糊が、糊上ローラー７４から、糊付ローラー７２に転写される。この際、ドクターローラー７６により、糊上ローラー７４から、糊付ローラー７２に転写された糊の厚さ（量）が、所定の厚さになるように調整される。
【０１２８】
そして、糊付ローラー７２によって、壁紙１００の裏面１０２に糊が塗布された後、ナラシーローラー８０によって、均一の厚さになるように処理される。
【０１２９】
その後、ナラシーローラー８０によって、均一の厚さになるように処理された壁紙１００は、ナラシーローラー８０の下流側に複数個配置された案内シュート８２から、壁紙排出部２９から排出され、図１の点線で示したように、壁紙受け部３０に送られて、糊付けされた壁紙１００を受けるように構成されている。
【０１３０】
そして、前述したように、自動壁紙糊付機１０の駆動部２６の制御部は、後述する複数のローラーを回転させた瞬間から、検尺パルスを計数し、検尺パルスを３００周期分計数すると、複数のローラーの回転を停止するようになっている。これにより、例えば、長さ３００ｃｍの壁紙が排出されるように構成されている。
【０１３１】
そして、壁紙の搬送が停止された状態で、糊付け作業者が、別途図示しないが、自動壁紙糊付機１０に設けられた切断装置、または、カッターナイフなどで、壁紙排出部２９から排出され糊付けされた壁紙１００を、切断するように構成されている。
【０１３２】
なお、図２に示したように、壁紙糊付機本体１２の下部フレーム２０の下方には、壁紙切断用テープ２００がロール形状に巻かれた、壁紙切断用テープロール２０２が配置されている。
【０１３３】
そして、壁紙１００の裏面１０２の端部に貼り付けられた状態で、壁紙糊付機本体１２の糊付動作にともなって（壁紙１００の搬送にともなって）、図示しないが、壁紙切断用テープ２００が、ナラシーローラー８０の部分で、壁紙１００の裏面１０２に貼り付けられて、自動的に引き出されて、糊付作業中に壁紙１００の裏面１０２に貼り付けられるようになっている。
【０１３４】
これにより、壁紙切断用テープ２００が壁紙切断用テープロール２０２から繰り出されて、図１１に示したように、壁紙１００の裏面１０２の幅方向の端部に、壁紙切断用テープ２００が貼着されるように構成されている。
【０１３５】
なお、この実施例の自動壁紙糊付機１０では、図１７に示したように、壁紙１００には、壁紙１００の糊付け面である裏面１０２に、糊が糊付ローラー７２によって塗布されている。
【０１３６】
また、壁紙１００の裏面１０２の幅方向の一方の端部１０２ａに、壁紙切断用テープ２００として、壁紙切断用下敷きテープ１０４が、長手方向に貼着されている。
【０１３７】
さらに、壁紙１００の裏面１０２の幅方向の他方の端部１０２ｂに、壁紙切断用テープ２００として、カットテープ１０６が、長手方向に貼着されている。
【０１３８】
前述したように、自動壁紙糊付機１０では、自動壁紙糊付機１０による糊付作業時に、壁紙切断用テープ２００（壁紙切断用下敷きテープ１０４とカットテープ１０６）が、壁紙１００の糊付け面である裏面１０２に貼着された状態で、壁紙１００の表面側が、作業者側に位置する状態で排出されるので、作業者からは、壁紙切断用テープ２００を、視認することができないようになっている。
【０１３９】
このため、巻き出し芯にロール形状に巻かれた状態の壁紙切断用テープ２００（壁紙切断用下敷きテープ１０４とカットテープ１０６）の終端が近づいて、巻き出し切れが発生することが分からず、また、終端Ｔが近づいても、巻き出し切れが発生することに気づかないことがある。
【０１４０】
このため、本発明の自動壁紙糊付機１０は、図３に示したように、壁紙切断用テープ２００の巻き出し切れを事前に検知するための巻き出し切れ検知手段２０６を備えている。
【０１４１】
この実施例の自動壁紙糊付機１０では、図１、図３に示したように、壁紙１００の幅方向に位置する幅方向フレーム部材である、脚部フレーム１６の幅方向脚部フレーム１６ａに設けられた、例えば、光センサー、フォトセンサーなどのセンサーから構成される巻き出し切れ検知手段２０６を備えている。
【０１４２】
なお、この場合、巻き出し切れ検知手段２０６は、図３の実施例では、脚部フレーム１６の内部に設けて、開口部１３を介して、壁紙切断用テープ２００の終端Ｔ１を検出するように構成している。
しかしながら、巻き出し切れ検知手段２０６を設ける位置は、後述する実施例の位置に設けても良く、特に限定されるものではない。
【０１４３】
すなわち、この実施例の自動壁紙糊付機１０では、壁紙切断用テープロール２０２から送り出された壁紙切断用テープ２００の終端Ｔ１が、巻き出し切れ検知手段２０６によって検出される。
【０１４４】
その後、図３〜図４の矢印Ｅで示したように、壁紙切断用テープ２００を所定の長さ分送り出して、壁紙切断用テープ２００の終端Ｔ１が、新しい壁紙切断用テープ２００の巻き出し端Ｔ２と接合する接合位置Ｘ１で、停止されるように構成されている。
【０１４５】
なお、この場合、壁紙切断用テープ２００が、壁紙１００に糊付けされているので、壁紙１００の送り出しに伴って、壁紙切断用テープ２００が送り出されるようになっている。
【０１４６】
この実施例の場合には、図１、図３〜図４に示したように、接合位置Ｘは、壁紙１００の幅方向に位置する幅方向フレーム部材である、脚部フレーム１６の幅方向脚部フレーム１６ａの所定の位置となるように、図示しない停止制御装置によって、停止制御がなされるように構成されている。
【０１４７】
また、この場合、接合位置Ｘ１の位置、すなわち、脚部フレーム１６の幅方向脚部フレーム１６ａの壁紙１００の送り方向の位置は、特に限定されるものではなく、壁紙切断用テープ２００の終端Ｔ１と、新しい壁紙切断用テープ２００の巻き出し端Ｔ２との接合作業が容易になるような位置を選択すれば良い。
【０１４８】
そして、この状態で、図５に示したように、古い壁紙切断用テープ２００の終端Ｔ１と、新しい壁紙切断用テープ２００の巻き出し端Ｔ２とを、脚部フレーム１６の幅方向脚部フレーム１６ａを基準として、また、幅方向脚部フレーム１６ａを支持部材（支持台）として使用して、例えば、粘着剤やテープなどで繋ぐことができる。
【０１４９】
これによって、古い壁紙切断用テープ２００を、新しい壁紙切断用テープと交換して、そのまま自動壁紙糊付機１０による糊付け工程を続けることができる。
【０１５０】
この場合、この実施例では、壁紙切断用テープ２００の終端Ｔ１が、巻き出し芯２０８から外れて、壁紙切断用テープ２００の終端Ｔ１が、新しい壁紙切断用テープ２００の巻き出し端Ｔ２と接合する接合位置Ｘで停止されるように構成されている
【０１５１】
これにより、壁紙切断用テープ２００の終端Ｔ１が、巻き出し芯２０８から外れて、壁紙切断用テープ２００の終端Ｔ１が、新しい壁紙切断用テープ２００の巻き出し端Ｔ２と接合する接合位置Ｘを基準として、例えば、粘着剤やテープなどで繋ぐことによって、作業効率が良好で、新しい壁紙切断用テープ２００と交換することが容易となる。
【０１５２】
なお、図１、図３〜図４に示したように、本体フレーム１４の幅方向本体フレーム１４ａの前面側方には、壁紙切断用テープ２００を案内するために、溝形状の案内部材２１０が設けられている。
【０１５３】
この案内部材２１０は、図４に示したように、壁紙切断用テープ２００の壁紙切断用テープロール２０２（巻き出し芯２０８）と同期して、壁紙１００の幅方向（左右方向）に移動自在な構成となっている。
【０１５４】
すなわち、この実施例では、図４に示したように、壁紙糊付機本体１２の糊箱１１の上辺１１ａの縁に引っ掛けた状態で、左右にスライド自在な構成となっている。しかしながら、左右にスライド自在な構成であれば、特に限定されるものではない。
【０１５５】
すなわち、例えば、天井などに壁紙を施工する際には、図６に示したように、壁紙４００の裏面４０２の幅方向の端部４０２ａから一定の距離ｔ（例えば、１０〜１５ｍｍ）離間して、壁紙切断用テープ（壁紙切断用下敷きテープまたはカットテープ）４０４を貼着することが行われている。
【０１５６】
このような壁紙切断用テープ４０４の貼着は、壁紙糊付機による糊付作業時に、壁紙糊付機によって貼り付けされている。
【０１５７】
これにより、壁紙４００の裏面４０２の幅方向の端部４０２ａから一定の距離ｔだけ糊面が有することになって、天井に壁紙４００を仮止めすることができ、壁紙施工に便利なように構成されている。
【０１５８】
このような場合に対応して、案内部材２１０は、壁紙切断用テープ２００の壁紙切断用テープロール２０２（巻き出し芯２０８）と同期して、壁紙１００の幅方向（左右方向）に移動自在な構成となっている。
【０１５９】
このように構成される本発明の自動壁紙糊付機１０によれば、壁紙切断用テープ２００の巻き出し切れを事前に検知するための巻き出し切れ検知手段２０６を備えている。
【０１６０】
さらに、巻き出し切れ検知手段２０６で、壁紙切断用テープ２００の終端Ｔ１を検出した後、壁紙切断用テープ２００を所定の長さ分送り出して、図示しない停止制御装置によって、壁紙切断用テープ２００の終端Ｔ１が、新しい壁紙切断用テープ２００の巻き出し端Ｔ２と接合する接合位置Ｘで停止されるように制御されるようになっている。
【０１６１】
従って、この巻き出し切れ検知手段２０６を、例えば、自動壁紙糊付機に設けた検知センサーなどから構成して、壁紙切断用テープ２００の終端Ｔ１端を、巻き出し切れ検知手段２０６が検知することによって、巻き出し芯２０８にロール形状に巻かれた状態の壁紙切断用テープ２００の終端Ｔ１が近づいて、巻き出し切れが発生することを事前に検知することができる。
【０１６２】
これにより、従来の自動壁紙糊付機のように、壁紙切断用テープが貼着されない状態で、糊付け工程が行われることがない。
【０１６３】
従って、従来の自動壁紙糊付機のように、壁紙切断用テープが貼着されない分の壁紙を、床面などに真っ直ぐに広げて、手作業で、壁紙切断用テープを貼り付ける煩雑な作業が不要で、作業効率が良好で、新しい壁紙切断用テープ２００と交換することが容易である。
【０１６４】
また、巻き出し切れ検知手段２０６を、例えば、自動壁紙糊付機に設けた検知センサーなどから構成して、巻き出し切れ検知手段が、壁紙切断用テープの終端を検知した際に、作業者に対して、識別しやすい、例えば、音声、光などの警告表示で予告することもできる。
【０１６５】
さらに、壁紙切断用テープ２００の終端Ｔ１が、新しい壁紙切断用テープ２００の巻き出し端Ｔ２と接合する接合位置Ｘで停止されるので、この状態で、図５に示したように、古い壁紙切断用テープ２００の終端Ｔ１と、新しい壁紙切断用テープ２００の巻き出し端Ｔ２とを、例えば、粘着剤やテープなどで繋ぐことができる。
【０１６６】
これにより、作業効率が良好で、新しい壁紙切断用テープ２００と交換することが容易であり、しかも、そのまま自動壁紙糊付機１０による糊付け工程を続けることができる。
（実施例２）
【０１６７】
図７は、本発明の別の実施例の自動壁紙糊付機を示す図１と同様な斜視図、図８は、図７のＤ部分の拡大正面図、図９は、古い壁紙切断用テープ２００の終端Ｔ１と、新しい壁紙切断用テープ２００の巻き出し端Ｔ２とを接合する状態を説明する概略図である。
【０１６８】
この実施例の自動壁紙糊付機１０は、図１〜図６に示した自動壁紙糊付機１０と基本的には同様な構成であり、同一の構成部材には、同一の参照番号を付して、その詳細な説明を省略する。
【０１６９】
この実施例の自動壁紙糊付機１０では、図７〜図９に示したように、幅方向フレーム部材が、自動壁紙糊付機１０の壁紙糊付機本体１２の本体フレーム１４の幅方向本体フレーム１４ａの前面（この実施例では、糊箱１１の前面）となるように構成されている。
【０１７０】
このように、幅方向フレーム部材が、自動壁紙糊付機１０の壁紙糊付機本体１２の本体フレーム１４の幅方向本体フレーム１４ａの前面であっても良い。
【０１７１】
なお、この場合、本明細書において、「壁紙糊付機本体１２の本体フレーム１４の幅方向本体フレーム１４ａ」とは、図７の符号１５で示したように、壁紙糊付機本体１２の幅方向に設置されたステー１５でも良く、また、この実施例で示したように、糊箱１１の前面１１ｂでも良い。
【０１７２】
これにより、図９に示したように、壁紙糊付機本体１２の本体フレーム１４の幅方向本体フレーム１４ａ（糊箱１１の前面１１ｂ、または、ステー１５）の前面の接合位置Ｘ２において、古い壁紙切断用テープ２００の終端Ｔ１と、新しい壁紙切断用テープ２００の巻き出し端Ｔ２とを、壁紙糊付機本体１２の本体フレーム１４の幅方向本体フレーム１４ａを基準として、また、幅方向本体フレーム１４ａを支持部材（支持台）として使用して、例えば、粘着剤やテープなどで繋ぐことによって、作業効率が良好で、新しい壁紙切断用テープ２００と交換することが容易となる。
【０１７３】
この場合、接合位置Ｘ２の位置、すなわち、壁紙糊付機本体１２の本体フレーム１４の幅方向本体フレーム１４ａの壁紙１００の送り方向の位置は、特に限定されるものではなく、壁紙切断用テープ２００の終端Ｔ１と、新しい壁紙切断用テープ２００の巻き出し端Ｔ２との接合作業が容易になるような位置を選択すれば良い。
（実施例３）
【０１７４】
図１０は、本発明の別の実施例の自動壁紙糊付機を示す部分拡大斜視図、図１１は、図１０の自動壁紙糊付機の作動を説明する概略図である。
【０１７５】
この実施例の自動壁紙糊付機１０は、図１〜図９に示した自動壁紙糊付機１０と基本的には同様な構成であり、同一の構成部材には、同一の参照番号を付して、その詳細な説明を省略する。
【０１７６】
この実施例の自動壁紙糊付機１０では、脚部フレーム１６の側方フレーム１６ｂに、壁紙切断用テープ２００を巻装するための、巻き出し芯２０８を備えた巻き出しロール２１２を支持するための回転支持棒部材２１４が設けられている。
【０１７７】
なお、巻き出しロール２１２には、巻装された壁紙切断用テープ２００が、巻き出しの際に左右に蛇行するのを防止するために、左右一対のガイド側板２１４ａ、２１４ｂが形成されている。
【０１７８】
また、ガイド側板２１４ａ、２１４ｂには、回転支持棒部材２１４に、巻き出しロール２１２を脱着自在に（交換可能に）挿着するために、また、巻き出しロール２１２を前述したように壁紙１００の幅方向に移動調整するための締結部材を構成する、例えば、蝶ナット２１６が備えられている。
【０１７９】
そして、脚部フレーム１６の側方フレーム１６ｂに、巻き出しロール２１２の上方に位置するように、平板ブラケット２１８が配置されている。この平板ブラケット２１８に、例えば、フォトセンサーなどの検知センサーなどから構成される巻き出し切れ検知手段２０６が備えられている。
【０１８０】
このように構成されるこの実施例の自動壁紙糊付機１０では、以下のように作動される。
【０１８１】
図１１（Ａ）に示したように、巻き出し芯２０８を備えた巻き出しロール２１２が送り出し方向に回転することによって、巻き出し芯２０８が露出したことを、巻き出し切れ検知手段２０６が検知する。
【０１８２】
これにより、図１１（Ａ）に示したように、巻き出し芯２０８上に約半回転分だけ巻かれた位置に、壁紙切断用テープ２００の終端Ｔ１、すなわち接合端Ｔ３が位置することになる。
【０１８３】
そして、図１１（Ｂ）に示したように、この状態から図示しない停止制御装置によって、壁紙切断用テープ２００を所定の長さ分送り出して、壁紙切断用テープ２００の終端Ｔ１、すなわち、接合端Ｔ３が、巻き出し芯２０８上に位置するように停止させる。この場合、この停止位置が、接合位置Ｘ３となる。
【０１８４】
このように構成することによって、巻き出し切れ検知手段２０６が、壁紙切断用テープ２００を巻装した巻き出し芯２０８が露出した際に、壁紙切断用テープ２００の終端Ｔ１、すなわち、接合端Ｔ３を検出した後、壁紙切断用テープ２００を所定の長さ分送り出している。
【０１８５】
そして、壁紙切断用テープ２００の終端Ｔ１、すなわち、接合端Ｔ３が、巻き出し芯２０８上で、新しい壁紙切断用テープ２００の巻き出し端Ｔ２と接合する接合位置Ｘ３で停止されるようになっている。
【０１８６】
これにより、壁紙切断用テープ２００を所定の長さ分送り出して、壁紙切断用テープ２００の終端Ｔ１、すなわち、接合端Ｔ３が、巻き出し芯２０８上で、新しい壁紙切断用テープ２００の巻き出し端Ｔ２と接合する接合位置Ｘ３を基準として、古い壁紙切断用テープ２００の終端Ｔ１を剥がして、巻き出し芯２０８を支持部材（支持台）として使用して、例えば、粘着剤やテープなどで繋ぐことによって、作業効率が良好で、新しい壁紙切断用テープ２００と交換することが容易となる。
【０１８７】
なお、図１１（Ｃ）に示したように、壁紙切断用テープ２００の終端Ｔ１、すなわち、接合端Ｔ３が、巻き出し芯２０８から外れて、壁紙切断用テープの終端Ｔ１を、新しい壁紙切断用テープ２００の巻き出し端Ｔ２と接合する、上記実施例１で示した接合位置Ｘ１、または、上記実施例２で示した接合位置Ｘ２で停止されるように構成しても良い。
【０１８８】
これにより、壁紙切断用テープ２００の終端Ｔ１、すなわち、接合端Ｔ３が、巻き出し芯２０８から外れて、壁紙切断用テープ２００の終端Ｔ１が、新しい壁紙切断用テープ２００の巻き出し端Ｔ２と接合する接合位置（Ｘ１、Ｘ２）を基準として、例えば、粘着剤やテープなどで繋ぐことによって、作業効率が良好で、新しい壁紙切断用テープ２００と交換することが容易となる。
【０１８９】
さらに、図１６に示したように、巻き出し芯２０８を備えた巻き出しロール２１２が送り出し方向に回転することによって、巻き出し芯２０８が露出したことを、巻き出し切れ検知手段２０６が検知した際に停止して、この位置を接合位置Ｘ３としても良い。
（実施例４）
【０１９０】
図１２は、本発明の別の実施例の自動壁紙糊付機を示す部分拡大斜視図である。
【０１９１】
この実施例の自動壁紙糊付機１０は、図１〜図１１に示した自動壁紙糊付機１０と基本的には同様な構成であり、同一の構成部材には、同一の参照番号を付して、その詳細な説明を省略する。
【０１９２】
この実施例の自動壁紙糊付機１０では、図１２に示したように、脚部フレーム１６の側方フレーム１６ｂに、巻き出しロール２１２の前方に位置するように、ブラケット部材２２０が配置されている。このブラケット部材２２０に、例えば、フォトセンサーなどの検知センサーなどから構成される巻き出し切れ検知手段２０６が備えられている。
【０１９３】
また、このブラケット部材２２０は、図示しないバネ部材などの付勢部材によって、図１２の矢印方向に、巻き出し芯２０８に巻装された壁紙切断用テープ２００に対して、付勢する方向にテンションをかけるように配置されている。
【０１９４】
そして、この実施例では、図示しないが、この巻き出し切れ検知手段２０６によって、巻き出された壁紙切断用テープ２００の終端Ｔ１が、巻き出し芯２０８から外れて、壁紙切断用テープの終端Ｔ１が検知されるようになっている。
【０１９５】
そして、壁紙切断用テープ２００の終端Ｔ１を検出した後、壁紙切断用テープ２００を所定の長さ分送り出して、壁紙切断用テープ２００の終端Ｔ１を、新しい壁紙切断用テープ２００の巻き出し端Ｔ２と接合する、上記実施例１で示した接合位置Ｘ１、または、上記実施例２で示した接合位置Ｘ２で停止されるように構成されている。
【０１９６】
このように構成することによって、ブラケット部材２２０によって、巻き出し芯２０８に巻装された壁紙切断用テープ２００に対して、付勢する方向にテンションをかけることができ、壁紙切断用テープ２００の弛みによる折曲がりなどを防止することができる。
【０１９７】
また、このようにブラケット部材２２０によって、巻き出し芯２０８に巻装された壁紙切断用テープ２００に対して、付勢する方向にテンションをかけながら、巻き出し切れ検知手段２０６によって、壁紙切断用テープ２００の終端Ｔ１を、巻き出し切れ検知手段２０６が検知することによって、巻き出し芯２０８にロール形状に巻かれた状態の壁紙切断用テープの終端Ｔ１が近づいて、巻き出し切れが発生することを事前に検知することができる。
（実施例５）
【０１９８】
図１３は、本発明の別の実施例の自動壁紙糊付機を示す部分拡大斜視図、図１４は、古い壁紙切断用テープ２００の終端Ｔ１と、新しい壁紙切断用テープ２００の巻き出し端Ｔ２とを接合する状態を説明する概略図、図１５は、本発明の別の実施例の自動壁紙糊付機を示す、古い壁紙切断用テープ２００の終端Ｔ１と、新しい壁紙切断用テープ２００の巻き出し端Ｔ２とを接合する状態を説明する概略図である。
【０１９９】
この実施例の自動壁紙糊付機１０は、図１〜図１２に示した自動壁紙糊付機１０と基本的には同様な構成であり、同一の構成部材には、同一の参照番号を付して、その詳細な説明を省略する。
【０２００】
この実施例の自動壁紙糊付機１０では、図１３に示したように、脚部フレーム１６の側方フレーム１６ｂに、巻き出しロール２１２の前方に位置するように、脚部フレーム１６の側方フレーム１６ｂに、巻き出しロール２１２の前方に位置するように、ブラケット部材２２０が配置されている。
【０２０１】
そして、ブラケット部材２２０に、壁紙切断用テープ２００の終端Ｔ１を、新しい壁紙切断用テープ２００の巻き出し端Ｔ２と接合するための接合部材を構成する一対の接合部材２２２が配置されている。
【０２０２】
すなわち、この実施例では、図１３に示したように、接合部材２２２は、壁紙切断用テープ２００の終端Ｔ１の終端を挿通する第１の接合部材２２２ａと、新しい壁紙切断用テープ２００の巻き出し端Ｔ２を挿通する第２の接合部材２２２ｂとを備えている。
【０２０３】
これらの第１の接合部材２２２ａ、第２の接合部材２２２ｂには、図示しないが、案内溝または案内挿通孔が形成されており、古い壁紙切断用テープ２００と、新しい壁紙切断用テープ２００の巻き出し端Ｔ２を挿通することができるようになっている。
【０２０４】
この第１の接合部材２２２ａに、例えば、フォトセンサーなどの検知センサーなどから構成される巻き出し切れ検知手段２０６が備えられている。
【０２０５】
また、第１の接合部材２２２ａと第２の接合部材２２２ｂとが、例えば、マグネット式などの公知の係合方法によって、離接可能に構成されている。
【０２０６】
また、このブラケット部材２２０は、図１２の実施例と同様に、図示しないバネ部材などの付勢部材によって、図１３の矢印方向に、巻き出し芯２０８に巻装された壁紙切断用テープ２００に対して、付勢する方向にテンションをかけるように配置されている。
【０２０７】
そして、この実施例では、第１の接合部材２２２ａに設けた巻き出し切れ検知手段２０６によって、巻き出された壁紙切断用テープ２００の終端Ｔ１が、巻き出し芯２０８から外れて、壁紙切断用テープの終端Ｔ１が検知されるようになっている。
【０２０８】
そして、壁紙切断用テープ２００の終端Ｔ１を検出した後、壁紙切断用テープ２００を所定の長さ分送り出して、壁紙切断用テープ２００の終端Ｔ１が、図１４に示したように、第２の接合部材２２２ｂから若干後方に位置する、壁紙切断用テープの終端Ｔ１を、新しい壁紙切断用テープ２００の巻き出し端Ｔ２と接合する接合位置Ｘ４で停止される。
【０２０９】
この状態で、図１４に示したように、第１の接合部材２２２ａと第２の接合部材２２２ｂとを分離して、新しい壁紙切断用テープ２００の巻き出し端Ｔ２を第２の接合部材２２２ｂに挿通して、例えば、粘着剤やテープなどで繋ぐ。
【０２１０】
なお、この実施例では、ブラケット部材２２０に、壁紙切断用テープ２００の終端Ｔ１を、新しい壁紙切断用テープ２００の巻き出し端Ｔ２と接合するための接合部材を構成する一対の接合部材２２２を配置したが、図示しないが、上記実施例１で示した接合位置Ｘ１、または、上記実施例２で示した接合位置Ｘ２に配置することも可能である。
【０２１１】
このように構成することによって、図１４に示したように、第１の接合部材２２２ａに挿通した壁紙切断用テープ２００の終端Ｔ１と、第２の接合部材２２２ｂに挿通した新しい壁紙切断用テープ２００の巻き出し端Ｔ２を、第１の接合部材２２２ａと第２の接合部材２２２ｂとを離反することによって、例えば、粘着剤やテープなどで繋ぐことによって、壁紙切断用テープ２００の終端Ｔ１を、新しい壁紙切断用テープ２００の巻き出し端Ｔ２と正確に接合することができる。
【０２１２】
そして、第１の接合部材２２２ａに挿通した古い壁紙切断用テープ２００の終端Ｔ１と、第２の接合部材２２２ｂに挿通した新しい壁紙切断用テープ２００の巻き出し端Ｔ２を、第１の接合部材２２２ａと第２の接合部材２２２ｂとを当接することによって、古い壁紙切断用テープ２００の終端Ｔ１を、新しい壁紙切断用テープ２００の巻き出し端Ｔ２と正確に接合することができ、作業効率が良好で、新しい壁紙切断用テープと交換することがさらに容易となる。
【０２１３】
さらに、図１５（Ａ）に示したように、第１の接合部材２２２ａに挿通した壁紙切断用テープ２００の終端Ｔ１と、第２の接合部材２２２ｂに挿通した新しい壁紙切断用テープ２００の巻き出し端Ｔ２を、第１の接合部材２２２ａと第２の接合部材２２２ｂとを離反することによって、例えば、粘着剤やテープなどで繋ぐ際に、支持部材２２４が位置するように構成することも可能である。
【０２１４】
例えば、図示しないが、第１の接合部材２２２ａと第２の接合部材２２２ｂとが当接している際には、第１の接合部材２２２ａまたは第２の接合部材２２２ｂの下方に収納され、第１の接合部材２２２ａと第２の接合部材２２２ｂとを分離した際に、バネなどの付勢力によって突出する支持部材２２４とすることができる。
【０２１５】
これによって、壁紙切断用テープ２００の終端Ｔ１を、新しい壁紙切断用テープ２００の巻き出し端Ｔ２と正確に接合することができるとともに、作業効率が良好で、新しい壁紙切断用テープ２００と交換することが容易となる。
【０２１６】
また、図１５（Ｂ）に示したように、接合部材２２２を一つの接合部材から構成して、開閉可能な蓋部材２２２ｃとして、壁紙切断用テープ２００の終端Ｔ１を、新しい壁紙切断用テープ２００の巻き出し端Ｔ２と接合するように構成することも可能である。
【０２１７】
以上、本発明の実施例について説明したが、本発明は、上記実施例に限定されるものではなく、例えば、上記実施例では、自動壁紙糊付機１０について、壁紙切断用テープ２００として、壁紙切断用下敷きテープ１０４とカットテープ１０６の両方を有する場合について説明したが、壁紙切断用テープ２００として、壁紙切断用下敷きテープ１０４とカットテープ１０６のいずれか一方を有する自動壁紙糊付機１０に適用することもできるなど本発明の目的を逸脱しない範囲で種々の変更が可能である。
【産業上の利用可能性】
【０２１８】
本発明は、壁紙（クロス）の裏面に、例えば、天井、壁面に貼着するための糊を、所定の量で、所定の長さの壁紙に自動的に塗布するための自動壁紙糊付機に適用することができる。
【０２１９】
より詳細には、壁紙の裏面の幅方向の端部に、例えば、壁紙切断用下敷きテープ、カットテープから構成される壁紙切断用テープを貼着するように構成した自動壁紙糊付機において、これらの壁紙切断用テープの壁紙切断用テープの巻き出し切れを事前に検知することが可能で、新しい壁紙切断用テープと交換することが容易な壁紙切断用テープを用いた自動壁紙糊付機に適用することができる。
【符号の説明】
【０２２０】
１０    自動壁紙糊付機
１１    糊箱
１１ａ    上辺
１１ｂ    前面
１３    開口部
１２    壁紙糊付機本体
１４    本体フレーム
１４ａ    幅方向本体フレーム
１５    ステー
１６    脚部フレーム
１６ａ    幅方向脚部フレーム
１６ｂ    側方フレーム
１８    上部フレーム
１８ａ、１８ｂ    側板部
１８ｃ    把手
１９    ステー部材
２０    下部フレーム
２０ａ    側板部
２０ａ、２０ｂ    側板部
２２    係止具
２４    ローラー
２５    制御部
２６    駆動部
２８    表示・操作パネル部
２９    壁紙排出部
３０    壁紙受け部
３２    壁紙原反ロール
３４    原反装着架台
３５    スリット部
３６    テンションバー
３８    ガイド板
４０    裁断部
４２    上刃
４４    下刃
４６    下部ステー
４８    送り出しローラー
５０    検尺ローラー
５２    回転軸
５４    検尺ローラーアーム
５６    アーム支点
５８    調整装置
６０    バネ
６２    バネ調整ネジ
６４    スリット板
６６    フォトマイクロセンサー
６８    糊付装置
７０    ハイテンションローラー
７２    糊付ローラー
７４    糊上ローラー
７６    ドクターローラー
７８    ローラー
８０    ナラシーローラー
８２    案内シュート
１００    壁紙
１０１    表面
１０２    裏面
１０２ａ    端部
１０２ｂ    端部
１０４    下敷きテープ
１０６    カットテープ
１０８    壁面
１１０    切断片
１１２    切断片
１１４    突合せ部（ジョイント部）
１１６    ローラー
１１８    カッター
２００    壁紙切断用テープ
２０２    壁紙切断用テープロール
２０６    巻き出し切れ検知手段
２０８    巻き出し芯
２１０    案内部材
２１２    巻き出しロール
２１４    回転支持棒部材
２１４ａ、２１４ｂ    ガイド側板
２１６    蝶ナット
２１８    平板ブラケット
２２０    ブラケット部材
２２２    接合部材
２２２ａ    第１の接合部材
２２２ｂ    第２の接合部材
２２２ｃ    蓋部材
２２４    支持部材
４００    壁紙
４０２    裏面
４０２ａ    端部
４０４    壁紙切断用テープ
Ａ    点線
Ｂ    矢印
Ｃ    矢印
Ｅ    矢印
Ｔ    終端
Ｔ１    終端
Ｔ２    巻き出し端
Ｔ３    接合端
Ｘ１    接合位置
Ｘ２    接合位置
Ｘ３    接合位置
Ｘ４    接合位置
ｔ    距離
【図１】
2019111757.tif 000003
【図２】
2019111757.tif 000004
【図３】
2019111757.tif 000005
【図４】
2019111757.tif 000006
【図５】
2019111757.tif 000007
【図６】
2019111757.tif 000008
【図７】
2019111757.tif 000009
【図８】
2019111757.tif 000010
【図９】
2019111757.tif 000011
【図１０】
2019111757.tif 000012
【図１１】
2019111757.tif 000013
【図１２】
2019111757.tif 000014
【図１３】
2019111757.tif 000015
【図１４】
2019111757.tif 000016
【図１５】
2019111757.tif 000017
【図１６】
2019111757.tif 000018
【図１７】
2019111757.tif 000019
【図１８】
2019111757.tif 000020
【図１９】
2019111757.tif 000021